(57)【要約】 【課題】    大工工事によらずとも居住者が自ら交換できるようにする。【解決手段】本発明に係る壁面保護材１０は、巾木を兼ねる防護板固定部材３と、該防護板固定部材の上縁に着脱自在に嵌合される防護板４と、該防護板の上縁に着脱自在に嵌合される化粧部材５とから構成してある。防護板４は、その下縁を防護板固定部材３の上縁に嵌合できるように構成してあるとともに、その上縁を固定具としてのビス１２を用いて壁面１に着脱自在となるように構成してある。【選択図】  図２
2006241915.tif 000002
【特許請求の範囲】
【請求項１】
壁面と床面との取合い箇所にて該壁面に取り付けられる防護板固定部材と、該防護板固定部材の上縁に着脱自在に嵌合される防護板と、該防護板の上縁に着脱自在に嵌合される化粧部材とからなる壁面保護材であって、前記防護板をその上縁がビス、ボルト等の固定具を用いて前記壁面に着脱自在となるように構成するとともに、前記化粧部材が前記防護板の上縁に嵌合された状態において前記固定具が該化粧部材で覆われるように前記化粧部材を構成したことを特徴とする壁面保護材。
【請求項２】
壁面と床面との取合い箇所にて該壁面に取り付けられる第一の防護板固定部材と、該第一の防護板固定部材の上縁に着脱自在に嵌合される防護板と、該防護板の上縁に着脱自在に嵌合される第二の防護板固定部材と、該第二の防護板固定部材に着脱自在に嵌合される化粧部材とからなる壁面保護材であって、前記第二の防護板固定部材をビス、ボルト等の固定具を用いて前記壁面に着脱自在となるように構成するとともに、前記化粧部材が前記第二の防護板固定部材に嵌合された状態において前記固定具が該化粧部材で覆われるように前記化粧部材を構成したことを特徴とする壁面保護材。
【請求項３】
壁面と床面との取合い箇所にて該壁面に取り付けられる防護板固定部材と、該防護板固定部材の上縁に着脱自在に嵌合される防護板と、該防護板の上縁に着脱自在に取り付けられる化粧部材とからなる壁面保護材であって、前記防護板をその上縁がビス、ボルト等の固定具及び該固定具が挿通される座金部材を用いて前記壁面に着脱自在となるように構成するとともに前記座金部材をその上端が前記防護板の上縁から突出するように該防護板に取り付けて突出端部とし、前記化粧部材が前記座金部材の突出端部に係止できるようにかつ前記化粧部材が係止された状態において前記固定具及び前記座金部材が該化粧部材で覆われるように前記化粧部材を構成したことを特徴とする壁面保護材。
【請求項４】
壁面と床面との取合い箇所にて該壁面に取り付けられる第一の防護板固定部材と、該第一の防護板固定部材の上縁に着脱自在に嵌合される防護板と、該防護板の上縁に着脱自在に嵌合される第二の防護板固定部材と、該第二の防護板固定部材に着脱自在に取り付けられる化粧部材とからなる壁面保護材であって、前記第二の防護板固定部材をビス、ボルト等の固定具及び該固定具が挿通される座金部材を用いて前記壁面に着脱自在となるように構成するとともに、前記座金部材をその上端が前記第二の防護板固定部材の上縁から突出するように該第二の防護板固定部材に取り付けて突出端部とし、前記化粧部材が前記座金部材の突出端部に係止できるようにかつ前記化粧部材が係止された状態において前記固定具及び前記座金部材が該化粧部材で覆われるように前記化粧部材を構成したことを特徴とする壁面保護材。
【発明の詳細な説明】
【技術分野】
【０００１】
本発明は、主に住宅内での車椅子の使用による壁仕上げの損傷を防ぐ壁面保護材に関する。
【背景技術】
【０００２】
住宅内の廊下や居室の壁は、例えば石膏ボードを下地材とし、その上にクロス貼りを行うといった内装仕上げが施されている。
【０００３】
一方、最近では、高齢化社会の下、住宅内で車椅子を使用することが多くなってきており、車椅子のフットレストが壁面に当たって壁の内装仕上げや場合によっては内装下地材まで損傷する事態が生じてきた。
【０００４】
そのため、住宅の廊下や居室の壁に腰壁やキックプレートを予め取り付けておき、壁の損傷を未然に防止していた。
【０００５】
【特許文献１】特開２００２−２９４９７２
【発明の開示】
【発明が解決しようとする課題】
【０００６】
ここで、車椅子のフットレストが腰壁やキックプレートに直接あたるため、当然ながら壁を保護するための腰壁やキックプレート自体が経年的に損傷し、美観や本来的な機能喪失のために定期的な交換が必要となる。
【０００７】
しかしながら、従来の腰壁やキックプレートは、見切り材とともに化粧釘や隠し釘で壁に留め付けてあるため、大工工事を余儀なくされ、居住者が自ら交換することが困難であるという問題を生じていた。
【０００８】
また、例えば見切り材を取り外す際、該見切り材は傷んでいないにもかかわらず、化粧釘や隠し釘による留付けのために無理な力が作用して割れてしまい、再利用できなくなるといった問題も生じていた。
【課題を解決するための手段】
【０００９】
本発明は、上述した事情を考慮してなされたもので、大工工事によらずとも居住者が自ら交換が可能な壁面保護材を提供することを目的とする。
【００１０】
上記目的を達成するため、本発明に係る壁面保護材は請求項１に記載したように、壁面と床面との取合い箇所にて該壁面に取り付けられる防護板固定部材と、該防護板固定部材の上縁に着脱自在に嵌合される防護板と、該防護板の上縁に着脱自在に嵌合される化粧部材とからなる壁面保護材であって、前記防護板をその上縁がビス、ボルト等の固定具を用いて前記壁面に着脱自在となるように構成するとともに、前記化粧部材が前記防護板の上縁に嵌合された状態において前記固定具が該化粧部材で覆われるように前記化粧部材を構成したものである。
【００１１】
また、本発明に係る壁面保護材は請求項２に記載したように、壁面と床面との取合い箇所にて該壁面に取り付けられる第一の防護板固定部材と、該第一の防護板固定部材の上縁に着脱自在に嵌合される防護板と、該防護板の上縁に着脱自在に嵌合される第二の防護板固定部材と、該第二の防護板固定部材に着脱自在に嵌合される化粧部材とからなる壁面保護材であって、前記第二の防護板固定部材をビス、ボルト等の固定具を用いて前記壁面に着脱自在となるように構成するとともに、前記化粧部材が前記第二の防護板固定部材に嵌合された状態において前記固定具が該化粧部材で覆われるように前記化粧部材を構成したものである。
【００１２】
また、本発明に係る壁面保護材は請求項３に記載したように、壁面と床面との取合い箇所にて該壁面に取り付けられる防護板固定部材と、該防護板固定部材の上縁に着脱自在に嵌合される防護板と、該防護板の上縁に着脱自在に取り付けられる化粧部材とからなる壁面保護材であって、前記防護板をその上縁がビス、ボルト等の固定具及び該固定具が挿通される座金部材を用いて前記壁面に着脱自在となるように構成するとともに前記座金部材をその上端が前記防護板の上縁から突出するように該防護板に取り付けて突出端部とし、前記化粧部材が前記座金部材の突出端部に係止できるようにかつ前記化粧部材が係止された状態において前記固定具及び前記座金部材が該化粧部材で覆われるように前記化粧部材を構成したものである。
【００１３】
また、本発明に係る壁面保護材は請求項４に記載したように、壁面と床面との取合い箇所にて該壁面に取り付けられる第一の防護板固定部材と、該第一の防護板固定部材の上縁に着脱自在に嵌合される防護板と、該防護板の上縁に着脱自在に嵌合される第二の防護板固定部材と、該第二の防護板固定部材に着脱自在に取り付けられる化粧部材とからなる壁面保護材であって、前記第二の防護板固定部材をビス、ボルト等の固定具及び該固定具が挿通される座金部材を用いて前記壁面に着脱自在となるように構成するとともに、前記座金部材をその上端が前記第二の防護板固定部材の上縁から突出するように該第二の防護板固定部材に取り付けて突出端部とし、前記化粧部材が前記座金部材の突出端部に係止できるようにかつ前記化粧部材が係止された状態において前記固定具及び前記座金部材が該化粧部材で覆われるように前記化粧部材を構成したものである。
【００１４】
請求項１に係る壁面保護材においては、防護板をその上縁がビス、ボルト等の固定具を用いて壁面に着脱自在となるように構成するとともに、化粧部材を防護板の上縁に着脱自在に嵌合されるように構成してある。
【００１５】
そのため、防護板を交換するにあたっては、化粧部材をいったん防護板から取り外し、次いで、固定具をドライバー等で緩めるという作業だけで足りることとなり、防護板の交換作業をきわめて容易に行うことができる。
【００１６】
防護板は、その下縁を巾木を兼ねる防護板固定部材に差し込むようにして嵌合してあるとともに、その両側縁を隣接する別の防護板にそれぞれ嵌合してあるため、交換にあたっては、交換すべき既設の防護板を上方に引き抜くとともに、新しい防護板を逆の手順で上方から落とし込み、その下縁を防護板固定部材に差し込んで嵌着した後、防護板の上縁を固定具を用いて壁面に取り付け、しかる後、化粧部材を防護板の上縁に嵌め込めばよい。
【００１７】
このように、防護板の交換作業に必要な工具は、ビスやボルトといった固定具を緩めたりねじ込んだりするドライバー等の工具だけで足りるとともに、かかる工具も居住者が日常的に取り扱っていることが多いため、作業は簡易なものとなり、かくして、専門業者による大工工事でなくとも、居住者自らの作業によって防護板の交換が可能となる。
【００１８】
なお、化粧部材が防護板の上縁に嵌合された状態において、固定具が該化粧部材で覆われるように化粧部材を構成してあるため、通常時は、ビスやボルトといった固定具が化粧部材で隠れて見えない。それゆえ、住宅内の美観を損ねるおそれはない。
【００１９】
防護板は、壁の損傷を防止するために壁面に取り付けるものであり、例えば腰壁材やキックプレートを用いることができる。
【００２０】
請求項２に係る壁面保護材においては、第二の防護板固定部材を防護板の上縁に着脱自在に嵌合できるように構成するとともに、該第二の防護板固定部材をビス、ボルト等の固定具を用いて壁面に着脱自在となるように構成し、化粧部材を第二の防護板固定部材に着脱自在に嵌合されるように構成してある。
【００２１】
そのため、防護板を交換するにあたっては、化粧部材をいったん第二の防護板固定部材から取り外し、引き続き、固定具をドライバー等で緩めて第二の防護板固定部材を取り外すという作業だけで足りることとなり、防護板の交換作業をきわめて容易に行うことができる。
【００２２】
防護板は、その下縁を巾木を兼ねる第一の防護板固定部材に差し込むようにして嵌合してあるとともに、その両側縁を隣接する別の防護板にそれぞれ嵌合してあるため、交換にあたっては、交換すべき既設の防護板を上方に引き抜くとともに、新しい防護板を逆の手順で上方から落とし込み、その下縁を第一の防護板固定部材に差し込んで嵌着した後、第二の防護板固定部材を防護板の上縁に嵌め込み、次いで、第二の防護板固定部材を固定具を用いて壁面に取り付け、しかる後、化粧部材を第二の防護板固定部材に嵌め込めばよい。
【００２３】
このように、防護板の交換作業に必要な工具は、ビスやボルトといった固定具を緩めたりねじ込んだりするドライバー等の工具だけで足りるとともに、かかる工具も居住者が日常的に取り扱っていることが多いため、作業は簡易なものとなり、かくして、専門業者による大工工事でなくとも、居住者自らの作業によって防護板の交換が可能となる。
【００２４】
なお、化粧部材が第二の防護板固定部材に嵌合された状態において、固定具が該化粧部材で覆われるように化粧部材を構成してあるため、通常時は、ビスやボルトといった固定具が化粧部材で隠れて見えない。それゆえ、住宅内の美観を損ねるおそれはない。
【００２５】
防護板は、壁の損傷を防止するために壁面に取り付けるものであり、例えば腰壁材やキックプレートを用いることができる。
【００２６】
請求項３に係る壁面保護材においては、防護板をその上縁がビス、ボルト等の固定具及び該固定具が挿通される座金部材を用いて壁面に着脱自在となるように構成するとともに、座金部材をその上端が防護板の上縁から突出するように該防護板に取り付けて突出端部とし、かかる座金部材の突出端部に化粧部材が係止できるように該化粧部材を構成してある。
【００２７】
そのため、防護板を交換するにあたっては、座金部材の突出端部に係止されている化粧部材をいったん取り外し、次いで、固定具をドライバー等で緩めるという作業だけで足りることとなり、防護板の交換作業をきわめて容易に行うことができる。
【００２８】
防護板は、その下縁を巾木を兼ねる防護板固定部材に差し込むようにして嵌合してあるとともに、その両側縁を隣接する別の防護板にそれぞれ嵌合してあるため、交換にあたっては、交換すべき既設の防護板を上方に引き抜くとともに、新しい防護板を逆の手順で上方から落とし込み、その下縁を防護板固定部材に差し込んで嵌着した後、防護板の上縁を固定具及び座金部材を用いて壁面に取り付け、しかる後、化粧部材に形成された係止凹部を座金部材の突出端部に係止することで該化粧部材を防護板の上縁に取り付ければよい。
【００２９】
このように、防護板の交換作業に必要な工具は、ビスやボルトといった固定具を緩めたりねじ込んだりするドライバー等の工具だけで足りるとともに、かかる工具も居住者が日常的に取り扱っていることが多いため、作業は簡易なものとなり、かくして、専門業者による大工工事でなくとも、居住者自らの作業によって防護板の交換が可能となる。
【００３０】
なお、化粧部材が係止された状態において固定具及び座金部材が化粧部材で覆われるように化粧部材を構成してあるため、通常時は、ビスやボルトといった固定具及び座金部材が化粧部材で隠れて見えない。それゆえ、住宅内の美観を損ねるおそれはない。
【００３１】
防護板は、壁の損傷を防止するために壁面に取り付けるものであり、例えば腰壁材やキックプレートを用いることができる。
【００３２】
請求項４に係る壁面保護材においては、第二の防護板固定部材を防護板の上縁に着脱自在に嵌合できるように構成するとともに、該第二の防護板固定部材をビス、ボルト等の固定具及び該固定具が挿通される座金部材を用いて壁面に着脱自在となるように構成し、座金部材をその上端が第二の防護板固定部材の上縁から突出するように該第二の防護板固定部材に取り付けて突出端部とし、かかる座金部材の突出端部に化粧部材を係止できるように構成してある。
【００３３】
そのため、防護板を交換するにあたっては、化粧部材をいったん第二の防護板固定部材から取り外し、引き続き、固定具をドライバー等で緩めて第二の防護板固定部材を取り外すという作業だけで足りることとなり、防護板の交換作業をきわめて容易に行うことができる。
【００３４】
防護板は、その下縁を巾木を兼ねる第一の防護板固定部材に差し込むようにして嵌合してあるとともに、その両側縁を隣接する別の防護板にそれぞれ嵌合してあるため、交換にあたっては、交換すべき既設の防護板を上方に引き抜くとともに、新しい防護板を逆の手順で上方から落とし込み、その下縁を第一の防護板固定部材に差し込んで嵌着した後、第二の防護板固定部材を防護板の上縁に嵌め込み、次いで、第二の防護板固定部材を固定具及び座金部材を用いて壁面に取り付け、しかる後、化粧部材に形成された係止凹部を座金部材の突出端部に係止することで該化粧部材を第二の防護板固定部材に取り付ければよい。
【００３５】
このように、防護板の交換作業に必要な工具は、ビスやボルトといった固定具を緩めたりねじ込んだりするドライバー等の工具だけで足りるとともに、かかる工具も居住者が日常的に取り扱っていることが多いため、作業は簡易なものとなり、かくして、専門業者による大工工事でなくとも、居住者自らの作業によって防護板の交換が可能となる。
【００３６】
なお、化粧部材が座金部材に係止された状態において、固定具及び座金部材が該化粧部材で覆われるように化粧部材を構成してあるため、通常時は、ビスやボルトといった固定具及び座金部材が化粧部材で隠れて見えない。それゆえ、住宅内の美観を損ねるおそれはない。
【００３７】
防護板は、壁の損傷を防止するために壁面に取り付けるものであり、例えば腰壁材やキックプレートを用いることができる。
【発明を実施するための最良の形態】
【００３８】
以下、本発明に係る壁面保護材の実施の形態について、添付図面を参照して説明する。なお、従来技術と実質的に同一の部品等については同一の符号を付してその説明を省略する。
【００３９】
（第１実施形態）
【００４０】
図１は、本実施形態に係る壁面保護材１０を示した全体斜視図及び水平断面図、図２は鉛直断面図及び詳細図である。これらの図でわかるように、本実施形態に係る壁面保護材１０は、巾木を兼ねる防護板固定部材３と、該防護板固定部材の上縁に着脱自在に嵌合される防護板４と、該防護板の上縁に着脱自在に嵌合される化粧部材５とから構成してある。
【００４１】
防護板固定部材３は、石膏ボードを内装下地材とした壁８の壁面１と床面２との取合い箇所にて該壁面に取り付けてある。
【００４２】
防護板４は、木質系腰壁材やキックプレートで構成することができる。
【００４３】
ここで、防護板４は図２でよくわかるように、その下縁を防護板固定部材３の上縁に嵌合できるように構成してあるとともに、その上縁を固定具としてのビス１２を用いて壁面１に着脱自在となるように構成してある。
【００４４】
すなわち、巾木を兼ねる防護板固定部材３の上縁には嵌合溝が形成してあり、かかる嵌合溝に防護板４の下縁に形成された突条が嵌合されるようになっているとともに、防護板４にはその上縁に沿って化粧部材５の背面２１が当接される肩部２４を形成してあり、該肩部の正面からビス１２がねじ込まれるようになっている。
【００４５】
ビス１２は、防護板４に形成された肩部２４の正面からねじ込まれ、壁８を貫通した上、間柱６に取り付けられた下地材７に螺着されるようになっているが、防護板４の肩部２４及び壁８に予めビス孔を設けておくことにより、ビス１２のねじ込み及び取外しを繰り返すことによる防護板４の肩部２４及び壁８の損傷を未然に防止することができる。
【００４６】
化粧部材５は、長尺状の板材であって概ねＪ字状断面をなし、上方に形成された凹部２２に防護板４の肩部２４に形成された突条２５を嵌め込むことができるようになっているとともに、かかる嵌合状態において肩部２４の正面に背面２１が当接され、ビス１２を覆うことができるようになっている。
【００４７】
なお、化粧部材５に形成された凹部２２に防護板４の肩部２４に形成された突条２５を嵌合したとき、化粧部材５の爪２３が突条２５の壁側背面と壁面１との間にちょうど嵌め込まれるよう、突条２５を適宜形成しておく。
【００４８】
本実施形態に係る壁面保護材１０を組み立てるには、まず図３(a)に示すように、隠し釘等を用いて防護板固定部材３を壁面１と床面２との取合い箇所に取り付け、次いで、防護板４の下縁に形成された突条を防護板固定部材３の上縁に形成された凹部に嵌め込むことによって防護板４を防護板固定部材３に嵌着する。
【００４９】
次に同図(b)に示すように、防護板４の上縁に沿って形成された肩部２４をビス１２で壁面１に留め付ける。
【００５０】
次に同図(c)及び(d)に示すように、肩部２４の突条２５を化粧部材５に形成された凹部２２に嵌め込むようにして、化粧部材５を防護板４の上縁に嵌合させる。
【００５１】
一方、車椅子のフットレストがぶつかることによって防護板４の美観が低下しあるいは壁８を保護するという本来の機能が低下した場合には、以下の手順で防護板４を取り替える。
【００５２】
すなわち、まず、化粧部材５を引き上げるようにして防護板４から取り外す。この作業は、化粧部材５と防護板４との間にデザインを兼ねて形成された隙間１１（図１参照）に例えばドライバーの先端を差し込んで軽く起こすことで簡単に行うことができる。
【００５３】
次に、ビス１２を緩めてこれらを抜き取り、次いで、防護板４を取り外す。
【００５４】
なお、防護板４は、その下縁を防護板固定部材３に差し込むようにして嵌合してあるとともに、図１(b)でわかるようにその両側縁を隣接する別の防護板４にそれぞれ嵌合してあるので、上方に引き抜くようにして取り外せばよい。
【００５５】
次に、新しい防護板４を上方から落とし込み、その下縁を防護板固定部材３に差し込んで嵌着する。
【００５６】
後は、既に述べた最初の組立手順と同様であり、防護板４の上縁をビス１２で壁面１に留め付け、しかる後、化粧部材５を元通り、防護板４の上縁に嵌め込めばよい。
【００５７】
以上説明したように、本実施形態に係る壁面保護材１０によれば、防護板４の上縁をビス１２を用いて壁面１に着脱自在に留め付けるようにするとともに、化粧部材５を防護板４の上縁に着脱自在に嵌合できるように構成したので、防護板４を交換するにあたっては、化粧部材５をいったん防護板４から取り外し、次いで、ビス１２をドライバー等で緩めるという作業だけで足りることとなり、防護板４の交換作業をきわめて容易に行うことが可能となる。
【００５８】
すなわち、防護板４の交換作業に必要な工具は、ビス１２を緩めたりねじ込んだりするドライバーだけで足りるとともに、かかるドライバーも居住者が日常的に取り扱っていることが多いため、作業は簡易なものとなり、かくして、専門業者による大工工事でなくとも、居住者自らの作業によって防護板４の交換が可能となる。
【００５９】
また、本実施形態に係る壁面保護材１０によれば、化粧部材５が防護板４の上縁に嵌合された状態において、ビス１２が該化粧部材で覆われるように化粧部材５を構成してあるため、通常時は、化粧部材５でビス１２を隠すことが可能となり、住宅内の美観を損ねる懸念もない。
【００６０】
また、本実施形態に係る壁面保護材１０によれば、化粧部材５の取外しの際、該化粧部材に相当する従来の見切り材のように、無理な力が作用して割れてしまうといった事態が生じるおそれがなくなり、化粧部材５の再利用が可能となる。
【００６１】
（第２実施形態）
【００６２】
次に、第２実施形態について説明する。なお、第１実施形態と実質的に同一の部品等については同一の符号を付してその説明を省略する。
【００６３】
図４は、本実施形態に係る壁面保護材４０を示した全体斜視図及び水平断面図、図５は鉛直断面図及び詳細図である。これらの図でわかるように、本実施形態に係る壁面保護材４０は、巾木を兼ねる第一の防護板固定部材３ａと、該第一の防護板固定部材の上縁に着脱自在に嵌合される防護板４１と、該防護板の上縁に着脱自在に嵌合される第二の防護板固定部材４２と、該第二の防護板固定部材に着脱自在に嵌合される化粧部材４３とから構成してある。
【００６４】
第一の防護板固定部材３ａは、石膏ボードを内装下地材とした壁８の壁面１と床面２との取合い箇所にて該壁面に取り付けてある。
【００６５】
防護板４１は、木質系腰壁材やキックプレートで構成することが可能であり、図５でよくわかるように、その下縁を第一の防護板固定部材３ａの上縁に嵌合できるように構成してある。
【００６６】
すなわち、巾木を兼ねる第一の防護板固定部材３ａの上縁には嵌合溝が形成してあり、かかる嵌合溝に防護板４１の下縁に形成された突条が嵌合されるようになっている。
【００６７】
一方、第二の防護板固定部材４２は、その下縁に形成された突条５６を防護板４１の上縁に形成された嵌合溝５７に嵌め込むことができるように構成してあるとともに、固定具としてのビス１２を正面５４からねじ込んで壁面１に着脱自在となるように構成してある。
【００６８】
ビス１２は、第二の防護板固定部材４２の正面５４からねじ込まれ、壁８を貫通した上、間柱６に取り付けられた下地材７に螺着されるようになっているが、第二の防護板固定部材４２及び壁８に予めビス孔を設けておくことにより、ビス１２のねじ込み及び取外しを繰り返すことによる第二の防護板固定部材４２及び壁８の損傷を未然に防止することができる。
【００６９】
化粧部材４３は、長尺状の板材であって概ねＪ字状断面をなし、上方に形成された凹部５２に第二の防護板固定部材４２に形成された突条５５を嵌め込むことができるようになっているとともに、かかる嵌合状態において第２の防護板固定部材４２の正面５４に背面５１が当接され、ビス１２を覆うことができるようになっている。
【００７０】
なお、化粧部材４３に形成された凹部５２に第二の防護板固定部材４２に形成された突条５５を嵌合したとき、化粧部材４３の爪５３が突条５５の壁側背面と壁面１との間にちょうど嵌め込まれるよう、突条５５を適宜形成しておく。
【００７１】
本実施形態に係る壁面保護材４０を組み立てるには、まず図６(a)に示すように、隠し釘等を用いて第一の防護板固定部材３ａを壁面１と床面２との取合い箇所に取り付け、次いで、防護板４１の下縁に形成された突条を第一の防護板固定部材３ａの上縁に形成された凹部に嵌め込むことによって防護板４１を第一の防護板固定部材３ａに嵌着する。
【００７２】
次に、同図(b)に示すように、防護板４１の上縁に形成された嵌合溝５７に第二の防護板固定部材４２の下縁に形成された突条５６を嵌め込むことで第二の防護板固定部材４２を防護板４１に嵌着する。
【００７３】
次に同図(c)に示すように、固定具としてのビス１２を第二の防護板固定部材４２の正面５４からねじ込んで壁面１に留め付ける。
【００７４】
次に同図(c)及び(d)に示すように、第二の防護板固定部材４２に形成された突条５５を化粧部材４３に形成された凹部５２に嵌め込むようにして、化粧部材４３を第二の防護板固定部材４２の上縁に嵌合させる。
【００７５】
一方、車椅子のフットレストがぶつかることによって防護板４１の美観が低下しあるいは壁８を保護するという本来の機能が低下した場合には、以下の手順で防護板４１を取り替える。
【００７６】
すなわち、まず、化粧部材４３を引き上げるようにして第二の防護板固定部材４２から取り外す。この作業は、化粧部材４３と第２の防護板固定部材４２との間にデザインを兼ねて形成された隙間１１（図４参照）に例えばドライバーの先端を差し込んで軽く起こすことで簡単に行うことができる。
【００７７】
次に、ビス１２を緩めてこれらを抜き取り、次いで、第二の防護板固定部材４２を取外し、引き続いて防護板４１を取り外す。
【００７８】
なお、防護板４１は、その下縁を第一の防護板固定部材３ａに差し込むようにして嵌合してあるとともに、図４(b)でわかるようにその両側縁を隣接する別の防護板４１にそれぞれ嵌合してあるので、上方に引き抜くようにして取り外せばよい。
【００７９】
次に、新しい防護板４１を上方から落とし込み、その下縁を第一の防護板固定部材３ａに差し込んで嵌着する。
【００８０】
後は、既に述べた最初の組立手順と同様であり、第二の防護板固定部材４２を防護板４１の上縁に嵌合した後、該第二の防護板固定部材をビス１２で壁面１に留め付け、しかる後、化粧部材４３を元通り、第二の防護板固定部材４２の上縁に嵌め込めばよい。
【００８１】
以上説明したように、本実施形態に係る壁面保護材４０によれば、第二の防護板固定部材４２をビス１２を用いて壁面１に着脱自在に留め付けるようにするとともに、化粧部材４３を第二の防護板固定部材４２に着脱自在に嵌合できるように構成したので、防護板４１を交換するにあたっては、化粧部材４３をいったん第二の防護板固定部材４２から取り外し、次いで、ビス１２をドライバー等で緩めて該第二の防護板固定部材を取り外すという作業だけで足りることとなり、防護板４１の交換作業をきわめて容易に行うことが可能となる。
【００８２】
すなわち、防護板４１の交換作業に必要な工具は、ビス１２を緩めたりねじ込んだりするドライバーだけで足りるとともに、かかるドライバーも居住者が日常的に取り扱っていることが多いため、作業は簡易なものとなり、かくして、専門業者による大工工事でなくとも、居住者自らの作業によって防護板４１の交換が可能となる。
【００８３】
また、本実施形態に係る壁面保護材４０によれば、化粧部材４３が第二の防護板固定部材４２に嵌合された状態において、ビス１２が該化粧部材で覆われるように化粧部材４３を構成してあるため、通常時は、化粧部材４３でビス１２を隠すことが可能となり、住宅内の美観を損ねる懸念もない。
【００８４】
また、本実施形態に係る壁面保護材４０によれば、第二の防護板固定部材４２を介して化粧部材４３を防護板４１に取り付けるようにしたので、従来から市販ないしは使用されている防護板を本実施形態の防護板４１として利用することが可能となり、汎用性を高めることができる。
【００８５】
また、本実施形態に係る壁面保護材４０によれば、化粧部材４３の取外しの際、該化粧部材に相当する従来の見切り材のように、無理な力が作用して割れてしまうといった事態が生じるおそれがなくなり、化粧部材４３の再利用が可能となる。
【００８６】
（第３実施形態）
【００８７】
次に、第３実施形態について説明する。なお、上述の実施形態と実質的に同一の部品等については同一の符号を付してその説明を省略する。
【００８８】
図７は、本実施形態に係る壁面保護材７０を示した全体斜視図及び水平断面図である。これらの図でわかるように、本実施形態に係る壁面保護材７０は、巾木を兼ねる防護板固定部材３ｂと、該防護板固定部材の上縁に着脱自在に嵌合される防護板７１と、該防護板の上縁に取り付けられる化粧部材７５とから構成してある。
【００８９】
防護板固定部材３ｂは、石膏ボードを内装下地材とした壁８の壁面１と床面２との取合い箇所にて該壁面に取り付けてある。
【００９０】
防護板７１は、木質系腰壁材やキックプレートで構成することができる。
【００９１】
ここで、防護板７１は、その下縁を防護板固定部材３ｂの上縁に嵌合できるように構成してあるとともに、その上縁を固定具としてのビス１２及び該ビスが挿通される座金部材７２を用いて壁面１に着脱自在となるように構成してある。
【００９２】
すなわち、巾木を兼ねる防護板固定部材３ｂの上縁には嵌合溝が形成してあり、かかる嵌合溝に防護板７１の下縁に形成された突条が嵌合されるようになっているとともに、防護板７１にはその上縁に沿って肩部７３及び肩部７４をひな壇状に形成してあり、肩部７３は、その正面に化粧部材７５の背面８１が当接され、肩部７４は、その正面に座金部材７２が当接されるとともに該座金部材のビス孔にビス１２を挿通して該ビスがねじ込まれるようになっている。
【００９３】
ビス１２は、防護板７１に形成された肩部７４の正面からねじ込まれ、壁８を貫通した上、間柱６に取り付けられた下地材７に螺着されるようになっているが、防護板７１の肩部７４及び壁８に予めビス孔を設けておくことにより、ビス１２のねじ込み及び取外しを繰り返すことによる防護板７１の肩部７４及び壁８の損傷を未然に防止することができる。
【００９４】
座金部材７２は、例えば矩形状の鋼製プレートを用いて構成することが可能であり、上下二段にビス孔を設けてある。かかる座金部材７２は、図７に示すように例えば防護板７１の両端近傍に二カ所ずつ設ければよい。
【００９５】
ここで、座金部材７２は、その上端が防護板７１の上縁、より具体的には肩部７４の上縁から突出するように該防護板に取り付けてある。
【００９６】
化粧部材７５は、長尺状の板材であって概ねＪ字状断面をなし、肩部７４の上縁から突出している座金部材７２の突出端部に係止できるようになっているとともに、かかる係止状態において肩部７３の正面及び座金部材７２に背面８１が当接され、ビス１２及び座金部材７２を覆うことができるようになっている。
【００９７】
本実施形態に係る壁面保護材７０を組み立てるには、まず図８(a)に示すように、隠し釘等を用いて防護板固定部材３ｂを壁面１と床面２との取合い箇所に取り付け、次いで、防護板７１の下縁に形成された突条を防護板固定部材３ｂの上縁に形成された凹部に嵌め込むことによって防護板７１を防護板固定部材３ｂに嵌着する。
【００９８】
次に同図(b)に示すように、防護板７１の上縁に沿って形成された肩部７４に座金部材７２をあてがい、該座金部材に形成されたビス孔にビス１２を挿通した上、該ビスで防護板７１を壁面１に留め付ける。
【００９９】
次に同図(c)及び(d)に示すように、化粧部材７５を座金部材７２の突出端部に係止する。
【０１００】
一方、車椅子のフットレストがぶつかることによって防護板７１の美観が低下しあるいは壁８を保護するという本来の機能が低下した場合には、以下の手順で防護板７１を取り替える。
【０１０１】
すなわち、まず、化粧部材７５を引き上げるようにして防護板７１から取り外す。この作業は、化粧部材７５と防護板７１との間にデザインを兼ねて形成された隙間に例えばドライバーの先端を差し込んで軽く起こすことで簡単に行うことができる。
【０１０２】
次に、ビス１２を緩めて該ビス及び座金部材７２を取外し、引き続いて防護板７１を取り外す。
【０１０３】
なお、防護板７１は、その下縁を防護板固定部材３ｂに差し込むようにして嵌合してあるとともに、図７(b)でわかるようにその両側縁を隣接する別の防護板７１にそれぞれ嵌合してあるので、上方に引き抜くようにして取り外せばよい。
【０１０４】
次に、新しい防護板７１を上方から落とし込み、その下縁を防護板固定部材３ｂに差し込んで嵌着する。
【０１０５】
後は、既に述べた最初の組立手順と同様であり、防護板７１の上縁をビス１２及び座金部材７２で壁面１に留め付け、しかる後、化粧部材７５を元通り、座金部材７２の突出端部に係止すればよい。
【０１０６】
以上説明したように、本実施形態に係る壁面保護材７０によれば、防護板７１の上縁をビス１２及び座金部材７２を用いて壁面１に着脱自在に留め付けるようにするとともに、化粧部材７５を座金部材７２の突出端部に係止して取り付けるように構成したので、防護板７１を交換するにあたっては、座金部材７２の突出端部から化粧部材７５をいったん取り外し、次いで、ビス１２をドライバー等で緩めるという作業だけで足りることとなり、防護板７１の交換作業をきわめて容易に行うことが可能となる。
【０１０７】
すなわち、防護板７１の交換作業に必要な工具は、ビス１２を緩めたりねじ込んだりするドライバーだけで足りるとともに、かかるドライバーも居住者が日常的に取り扱っていることが多いため、作業は簡易なものとなり、かくして、専門業者による大工工事でなくとも、居住者自らの作業によって防護板４の交換が可能となる。
【０１０８】
また、本実施形態に係る壁面保護材７０によれば、座金部材７２を介して化粧部材７５が防護板７１の上縁に取り付けられた状態において、ビス１２及び座金部材７２が該化粧部材で覆われるように化粧部材７５を構成してあるため、通常時は、化粧部材７５でビス１２及び座金部材７２を隠すことが可能となり、住宅内の美観を損ねる懸念もない。
【０１０９】
また、本実施形態に係る壁面保護材７０によれば、座金部材７２を介して防護板７１の上縁をビス留めするようにしたので、防護板７１の損傷を未然に防止することが可能となる。
【０１１０】
また、本実施形態に係る壁面保護材７０によれば、化粧部材７５の取外しの際、該化粧部材に相当する従来の見切り材のように、無理な力が作用して割れてしまうといった事態が生じるおそれがなくなり、化粧部材７５の再利用が可能となる。
【０１１１】
（第４実施形態）
【０１１２】
次に、第４実施形態について説明する。なお、上述の実施形態と実質的に同一の部品等については同一の符号を付してその説明を省略する。
【０１１３】
図９は、本実施形態に係る壁面保護材９０を示した全体斜視図及び水平断面図、図１０は施工手順を示した図である。これらの図でわかるように、本実施形態に係る壁面保護材９０は、巾木を兼ねる第一の防護板固定部材３ｃと、該第一の防護板固定部材の上縁に着脱自在に嵌合される防護板９１と、該防護板の上縁に着脱自在に嵌合される第二の防護板固定部材９２と、該第二の防護板固定部材に取り付けられる化粧部材９５とから構成してある。
【０１１４】
第一の防護板固定部材３ｃは、石膏ボードを内装下地材とした壁８の壁面１と床面２との取合い箇所にて該壁面に取り付けてある。
【０１１５】
防護板９１は、木質系腰壁材やキックプレートで構成することが可能であり、図１０でよくわかるように、その下縁を第一の防護板固定部材３ｃの上縁に嵌合できるように構成してある。
【０１１６】
すなわち、巾木を兼ねる第一の防護板固定部材３ｃの上縁には嵌合溝が形成してあり、かかる嵌合溝に防護板９１の下縁に形成された突条が嵌合されるようになっている。
【０１１７】
一方、第二の防護板固定部材９２は、クランク状断面となるように基部９３及び該基部に延設された肩部９４とからなり、基部９３の下縁に形成された突条９７を防護板９１の上縁に形成された嵌合溝９８に嵌め込むことができるように構成してあるとともに、固定具としてのビス１２及び該ビスが挿通される座金部材７２を用いて壁面１に着脱自在となるように構成してある。
【０１１８】
ここで、第二の防護板固定部材９２は、基部９３の正面が化粧部材９５の背面９６に当接されるとともに、肩部９４の正面に座金部材７２が当接され該座金部材のビス孔にビス１２を挿通して該ビスがねじ込まれるようになっている。
【０１１９】
ビス１２は、第二の防護板固定部材９２に形成された肩部９４の正面からねじ込まれ、壁８を貫通した上、間柱６に取り付けられた下地材７に螺着されるようになっているが、第二の防護板固定部材９２の肩部９４及び壁８に予めビス孔を設けておくことにより、ビス１２のねじ込み及び取外しを繰り返すことによる第二の防護板固定部材９２の肩部９４及び壁８の損傷を未然に防止することができる。
【０１２０】
座金部材７２は、その上端が第二の防護板固定部材９２の上縁、より具体的には肩部９４の上縁から突出するように該第二の防護板固定部材に取り付けてある。
【０１２１】
化粧部材９５は、長尺状の板材であって概ねＪ字状断面をなし、肩部９４の上縁から突出している座金部材７２の突出端部に係止できるようになっているとともに、かかる係止状態において基部９３の正面及び座金部材７２に背面９６が当接され、ビス１２及び座金部材７２を覆うことができるようになっている。
【０１２２】
本実施形態に係る壁面保護材９０を組み立てるには、まず図１０(a)に示すように、隠し釘等を用いて第一の防護板固定部材３ｃを壁面１と床面２との取合い箇所に取り付け、次いで、防護板９１の下縁に形成された突条を第一の防護板固定部材３ｃの上縁に形成された凹部に嵌め込むことによって防護板９１を第一の防護板固定部材３ｃに嵌着する。
【０１２３】
次に、同図(b)に示すように、防護板９１の上縁に形成された嵌合溝９８に第二の防護板固定部材９２の基部９３の下端に形成された突条９７を嵌め込むことで第二の防護板固定部材９２を防護板９１に嵌着する。
【０１２４】
次に、第二の防護板固定部材９２に形成された肩部９４に座金部材７２をあてがい、該座金部材に形成されたビス孔にビス１２を挿通した上、該ビスで第二の防護板固定部材９２を壁面１に留め付ける。
【０１２５】
次に同図(c)及び(d)に示すように、化粧部材９５を座金部材７２の突出端部に係止する。
【０１２６】
一方、車椅子のフットレストがぶつかることによって防護板９１の美観が低下しあるいは壁８を保護するという本来の機能が低下した場合には、以下の手順で防護板９１を取り替える。
【０１２７】
すなわち、まず、化粧部材９５を引き上げるようにして第二の防護板固定部材９２から取り外す。この作業は、化粧部材９５と防護板９１との間にデザインを兼ねて形成された隙間に例えばドライバーの先端を差し込んで軽く起こすことで簡単に行うことができる。
【０１２８】
次に、ビス１２を緩めて該ビス及び座金部材７２を取外し、第二の防護板固定部材９２と防護板９１とを順次取り外す。
【０１２９】
なお、防護板９１は、その下縁を第一の防護板固定部材３ｃに差し込むようにして嵌合してあるとともに、図９(b)でわかるようにその両側縁を隣接する別の防護板９１にそれぞれ嵌合してあるので、上方に引き抜くようにして取り外せばよい。
【０１３０】
次に、新しい防護板９１を上方から落とし込み、その下縁を第一の防護板固定部材３ｃに差し込んで嵌着する。
【０１３１】
後は、既に述べた最初の組立手順と同様であり、第二の防護板固定部材９２を防護板９１の上縁に嵌合した後、第二の防護板固定部材９２をビス１２及び座金部材７２で壁面１に留め付け、しかる後、化粧部材９５を元通り、座金部材７２の突出端部に係止すればよい。
【０１３２】
以上説明したように、本実施形態に係る壁面保護材９０によれば、第二の防護板固定部材９２をビス１２及び座金部材７２を用いて壁面１に着脱自在に留め付けるようにするとともに、化粧部材９５を座金部材７２の突出端部に係止して取り付けるように構成したので、防護板９１を交換するにあたっては、座金部材７２の突出端部から化粧部材９５をいったん取り外し、次いで、ビス１２をドライバー等で緩めるという作業だけで足りることとなり、防護板９１の交換作業をきわめて容易に行うことが可能となる。
【０１３３】
すなわち、防護板９１の交換作業に必要な工具は、ビス１２を緩めたりねじ込んだりするドライバーだけで足りるとともに、かかるドライバーも居住者が日常的に取り扱っていることが多いため、作業は簡易なものとなり、かくして、専門業者による大工工事でなくとも、居住者自らの作業によって防護板９１の交換が可能となる。
【０１３４】
また、本実施形態に係る壁面保護材９０によれば、座金部材７２を介して化粧部材９５が第二の防護板固定部材９２に取り付けられた状態において、ビス１２及び座金部材７２が該化粧部材で覆われるように化粧部材９５を構成してあるため、通常時は、化粧部材９５でビス１２及び座金部材７２を隠すことが可能となり、住宅内の美観を損ねる懸念もない。
【０１３５】
また、本実施形態に係る壁面保護材９０によれば、第二の防護板固定部材９２を介して化粧部材９５を防護板９１に取り付けるようにしたので、従来から市販ないしは使用されている防護板を本実施形態の防護板９１として利用することが可能となり、汎用性を高めることができる。
【０１３６】
また、本実施形態に係る壁面保護材９０によれば、座金部材７２を介して第二の防護板固定部材９２をビス留めするようにしたので、第二の防護板固定部材９２の損傷を未然に防止することが可能となる。
【０１３７】
また、本実施形態に係る壁面保護材９０によれば、化粧部材９５の取外しの際、該化粧部材に相当する従来の見切り材のように、無理な力が作用して割れてしまうといった事態が生じるおそれがなくなり、化粧部材９５の再利用が可能となる。
【図面の簡単な説明】
【０１３８】
【図１】第１実施形態に係る壁面保護材の図であり、(a)は全体斜視図、(b)はＡ−Ａ断面に沿った水平断面図。
【図２】第１実施形態に係る壁面保護材の図であり、(a)は図１のＢ−Ｂ断面に沿った鉛直断面図、(b)は化粧部材の断面図、(c)は防護板４の詳細断面図。
【図３】第１実施形態に係る壁面保護材の組立手順を示した図。
【図４】第２実施形態に係る壁面保護材の図であり、(a)は全体斜視図、(b)はＣ−Ｃ断面に沿った水平断面図。
【図５】第２実施形態に係る壁面保護材の図であり、(a)は図１のＤ−Ｄ断面に沿った鉛直断面図、(b)は化粧部材の断面図、(c)は第二の防護板固定部材４２の詳細断面図、(d)は防護板４１の詳細断面図。
【図６】第２実施形態に係る壁面保護材の組立手順を示した図。
【図７】第３実施形態に係る壁面保護材の図であり、(a)は全体斜視図、(b)はＥ−Ｅ断面に沿った水平断面図。
【図８】第３実施形態に係る壁面保護材の組立手順を示した図。
【図９】第４実施形態に係る壁面保護材の図であり、(a)は全体斜視図、(b)はＦ−Ｆ断面に沿った水平断面図。
【図１０】第４実施形態に係る壁面保護材の組立手順を示した図。
【符号の説明】
【０１３９】
３，３ｂ                        防護板固定部材
３ａ，３ｃ                      第一の防護板固定部材
４，４０，４１，７１，９１      防護板
５，４３，７５                  化粧部材
１０，４０，７０，９０          壁面保護材
１２                            ビス（固定具）
４２，９２                      第二の防護板固定部材
７２                            座金部材
【図１】
2006241915.tif 000003
【図２】
2006241915.tif 000004
【図３】
2006241915.tif 000005
【図４】
2006241915.tif 000006
【図５】
2006241915.tif 000007
【図６】
2006241915.tif 000008
【図７】
2006241915.tif 000009
【図８】
2006241915.tif 000010
【図９】
2006241915.tif 000011
【図１０】
2006241915.tif 000012